(57)【要約】少なくともほぼ鉛直の相互回動軸（４４）を使って取り付けられた少なくとも二つの相互に回動するパネル（４１、４２、４３）を含む、建物開口部の閉鎖組立体（４０）である。パネルは、閉鎖状態と開放状態との間を移動可能であり、閉鎖状態では、少なくとも二つのパネルが少なくとも実質的に相互に整列して、開口部の平面内に又は前記平面にほぼ平行に、開口部の少なくとも部分的な閉鎖体を提供し、開放状態では、少なくとも二つのパネルは、互いの方に相互に回動することによって相互に整列を崩されて、開口部の平面を実質的に空ける。近位パネル（４１）は、開口部（４５）の鉛直周縁の近傍において、開口部のほぼ平面内の鉛直回動軸によって回動される。遠位パネル（４２）の遠位領域は、少なくとも一つの支持ランナーによって支持される。支持ランナーは、支持軌道（５１）によって案内され、前記支持軌道（５１）は、開口部の平面に対して斜めにされていて、鉛直周縁において開口部の平面から支持ランナーを離間させる効力を有している。
2005535808.tif 000002
【特許請求の範囲】
【請求項１】
建物もしくは同様の構造物の、又は建物もしくは同様の構造物における開口部の閉鎖組立体であって、前記閉鎖組立体は、少なくともほぼ鉛直の相互回動軸を使って、閉鎖状態と開放状態との間を移動可能であるように、取り付けられた少なくとも二つの相互に回動する（ガラス板の嵌め込まれた又はそうではない）パネルを含み：
（ｉ）前記閉鎖状態では、相互に少なくともほぼ整列している前記少なくとも二つのパネルが、開口部の平面内で又は開口部の平面にほぼ平行に前記開口部の少なくとも部分的な閉鎖体を提供し、及び、
（ｉｉ）前記開放状態では、前記少なくとも二つのパネルが、互いの方に相互に回動することによって相互に整列を崩されて、開口部の平面を実質的に空け、またその際少なくとも二つのパネルの各々の一方又は全てが開口部の平面に対して鋭角に又は平行に横たわる、閉鎖組立体において、
前記パネルの一方（“近位パネル”）が、前記開口部の鉛直周縁（“近位周縁”）で及び／又は前記鉛直周縁の近くで、開口部の平面内に実質的に在る少なくともほぼ鉛直な回動軸によって回動され、
他方のパネル（“遠位パネル”）の遠位領域が、少なくとも一つの支持ランナーによって支持され、
支持ランナーが支持軌道に沿って走行し、前記支持軌道が、前記開口部の平面に対して少なくとも部分的に斜めにされ、又は角度を付けられるか若しくはある角度に方向転換するか、又は曲げられるか若しくは湾曲され（以後“斜めにされ”）、また支持ランナーを前記近位周縁で又は前記近位周縁の近くで前記開口部の平面から離間させる効力を有する、閉鎖組立体。
【請求項２】
近位パネルが、前記開口部に対して固定されたほぼ鉛直の回動軸によって回動される、請求項１に記載の閉鎖組立体。
【請求項３】
前記近位パネルが、開口部の平面に対して及び開口部の平面内で水平に移動可能なほぼ鉛直な回動軸によって回動される、請求項１に記載の閉鎖組立体。
【請求項４】
前記支持ランナーが、支持軌道に係合された車輪付きボギー車を含む、請求項１に記載の閉鎖組立体。
【請求項５】
前記車輪付きボギー車が鉛直軸線を中心にして前記遠位パネルに対して回動することを可能にするために、前記支持ランナーが鉛直回動軸を含む、請求項１〜４のいずれか一項に記載の閉鎖組立体。
【請求項６】
前記車輪付きボギー車の前記回動軸の前記鉛直軸線が、前記遠位パネルの板厚の中央に配置される、請求項５に記載の閉鎖組立体。
【請求項７】
支持軌道が、ほぼ直線的な形であり、また開口部の平面に対して鋭角をなす、請求項１〜６のいずれか一項に記載の閉鎖組立体。
【請求項８】
支持軌道が、少なくとも一部が直線的な形であり、また前記一部が開口部の平面に対して鋭角をなす、請求項１〜６のいずれか一項に記載の閉鎖組立体。
【請求項９】
支持軌道が、直線的な形であり、及び近位周縁に直近の支持軌道の部分を除いて開口部の平面に対して（好適には開口部の平面内で）平行であり、前記部分において支持ランナーを開口部の平面から外に進ませるために、前記軌道が前記開口部の平面に対して角度が付けられている、請求項１〜６のいずれか一項に記載の閉鎖組立体。
【請求項１０】
支持軌道が湾曲している、請求項１〜６のいずれか一項に記載の閉鎖組立体。
【請求項１１】
遠位パネルの遠位領域が、遠位パネルの頂部又は底部の一方（である“鉛直支持場所”）に取り付けられた一つの支持ランナーによって支持される、請求項１〜１０のいずれか一項に記載の閉鎖組立体。
【請求項１２】
前記鉛直支持場所に対する、前記頂部又は底部の他方が、開口部の平面内の又は該平面に平行なガイド軌道を通るガイドランナーと結合され、そのようなガイドランナーは、それにもかかわらずガイドランナーと遠位パネルとの伸展性結合によって、支持軌道を通って案内される支持ランナーによって開口部に対して案内されて回動されるように遠位パネルの遠位領域が移動することを可能にする軌跡を形成された支持軌道に追随して遠位パネルのための移動を可能にする、請求項１１に記載の閉鎖組立体。
【請求項１３】
前記鉛直支持場所に対する、頂部又は底部の他方が、開口部の平面内の又は開口部の平面に平行なガイド軌道を通るガイドランナーと結合され、そのようなガイドランナーは遠位パネルに回動可能に取り付けられた伸展性アームを含み、前記伸展性アームは、遠位パネルの遠位領域が前記支持軌道によって拘束されて移動することを可能にすることが要求される軌跡を形成された支持軌道に追随することを可能にする、請求項１１又は１２に記載の閉鎖組立体。
【請求項１４】
ガイドランナーが、回動様態で伸展する関節手段を、（遠位領域において又は遠位領域の近くで）遠位パネルの間に含み、前記関節手段が、ガイド軌道に配置されて案内されるランナーボギー車を介して前記ガイド軌道にさらに回動可能に結び付けられて、そのことにより前記伸展性結合を提供する、請求項１２又は１３に記載の閉鎖組立体。
【請求項１５】
前記関節手段が剛性アームである、請求項１４に記載の閉鎖組立体。
【請求項１６】
前記パネルが前記開放状態のとき、前記剛性アームが、前記開口部の前記平面に垂直に延びる、請求項１５に記載の閉鎖組立体。
【請求項１７】
支持ランナーが遠位パネルの頂部に設けられる、請求項１〜１６のいずれか一項に記載の閉鎖組立体。
【請求項１８】
ガイドランナーが遠位パネルの底部に配置される、請求項１２〜１７のいずれか一項に記載の閉鎖組立体。
【請求項１９】
ガイドランナーが遠位パネルの頂部に設けられて、支持ランナーが遠位パネルの底部に配置される、請求項１２〜１７のいずれか一項に記載の閉鎖組立体。
【請求項２０】
遠位パネルの遠位領域が、頂部及び底部に配置された支持ランナーによって支持され、各支持ランナーが、開口部の頂部および底部に配設されたそれぞれの前記支持軌道内を走行する、請求項１〜１０のいずれか一項に記載の閉鎖組立体。
【請求項２１】
近位パネルが、近位周縁における固定された鉛直回動軸によって回動される、請求項１〜２０のいずれか一項に記載の閉鎖組立体。
【請求項２２】
前記パネルが、開放位置において、開口部の平面にほぼ平行に横たわる、請求項１〜２１のいずれか一項に記載の閉鎖組立体。
【請求項２３】
閉鎖組立体が全体に枠を付けられる、請求項１〜２２のいずれか一項に記載の閉鎖組立体。
【請求項２４】
前記閉鎖組立体の周縁が、前記建物若しくは同様の構造物の、又は前記建物若しくは同様の構造物における前記開口部に受容されるのに釣り合ったサイズの枠構造体によって形成される、請求項１〜２２のいずれか一項に記載の閉鎖組立体。
【請求項２５】
前記閉鎖組立体の周縁が、前記建物若しくは同様の構造物の、又は前記建物若しくは同様の構造物における前記開口部に受容されるのに釣り合ったサイズの枠構造体によって形成され、前記枠が、頂部枠押出材と、前記頂部枠押出材に平行な底部枠押出材であって使用時に水平に延在する底部押出材と、前記頂部及び底部枠押出材に取り付けられかつ前記頂部及び底部枠押出材の間に延在する二つの側方枠押出材であって、互いに平行な、使用時に垂直に延在する二つの側方枠押出材とを含む、請求項１〜２２のいずれか一項に記載の閉鎖組立体。
【請求項２６】
前記枠が、少なくとも部分的に押出材の組立体である、請求項２３〜２５のいずれか一項に記載の閉鎖組立体。
【請求項２７】
前記支持ランナーが、前記遠位パネルの頂部又は上部に取り付けられた頂部ランナーであり、また前記建物の又は前記建物における前記開口部が、上部枠組み材を含み、前記支持軌道が上部組立体に組み込まれ、前記上部組立体が、
ａ）縦方向に延在する基礎部材であって、その縦方向を前記開口部の平面に平行にして前記開口部の上部枠組み材に固定される、縦方向に延在する基礎部材と、
ｂ）支持軌道を保持するサブ組立体であって、さらに、
（ｉ）前記開口部の底への又は前記開口部の底からの直線的様態、及び、
（ｉｉ）前記開口部の平面に対して平行な水平軸線を中心にした前記軌道の傾きを可能にする様態、の一つ以上から選択された様態で前記支持軌道を変位させることを可能にする様態で前記基礎部材に固定されたサブ組立体と、を含むものである、請求項１〜２６のいずれか一項に記載の閉鎖組立体。
【請求項２８】
前記支持ランナーが、前記遠位パネルの頂部又は上部に取り付けられた頂部ランナーであり、また前記頂部枠部材が上部組立体であり、前記上部組立体が、
ａ）縦方向に延在する基礎部材であって、その縦方向を前記開口部の平面に平行にした様態で建物に固定される縦方向に延在する基礎部材と、
ｂ）支持軌道を保持するサブ組立体であって、さらに、
（ｉ）基礎部材への又は前記基礎部材からの直線的様態、及び、
（ｉｉ）前記開口部の平面に対して平行な水平軸線を中心にした前記軌道の傾きを可能にする様態、の一つ以上から選択された様態で前記支持軌道を変位させることを可能にする様態で前記基礎部材に固定されたサブ組立体と、を含むものである、請求項２５に記載の閉鎖組立体。
【請求項２９】
前記基礎部材が前記側方枠部材に固定される、請求項２８に記載の閉鎖組立体。
【請求項３０】
前記サブ組立体が、二列に並んだ、鉛直に延在する調節ねじによって前記基礎部材に係合され、第一の列と第二の列が互いに対して及び開口部の平面に対して平行であり、また一方の列の他方の列に対するねじの差動調節が前記傾きを含み、第一の列と第二の列のねじの一致する調節が直線的変位を含む、請求項２８又は２９に記載の閉鎖組立体。
【請求項３１】
前記サブ組立体がペルメットを含み、前記ペルメットに前記軌道が、固定され、また支持ランナーとの係合のために露出された様態でペルメットから配設される、請求項２８又は３０に記載の閉鎖組立体。
【請求項３２】
前記ペルメットが、その下から前記支持軌道を与えて、支持ランナーの開きが開放状態を引き受けることを可能にするのに十分なほどに開口部の平面から外側に延びる、請求項３１に記載の閉鎖組立体。
【請求項３３】
前記ペルメットが、細長いほぼ一定断面の押出部材である、請求項３１〜２２のいずれか一項に記載の閉鎖組立体。
【請求項３４】
前記ペルメットが、前記支持軌道の両側に飾りパネルを含み、前記飾りパネルが前記支持軌道と前記ペルメットの縦方向の縁との間の隙間を塞ぐ、請求項３３に記載の閉鎖組立体。
【請求項３５】
前記第一の列の固定ねじが、前記開口部の前記平面の第一の側に平行に及び前記第一の側に設けられ、また第二の列が、前記開口部の前記平面の他方の側に平行に及び前記他方の側に設けられる、請求項３０〜３４のいずれか一項に記載の閉鎖組立体。
【請求項３６】
各列の前記ねじが均等に離間されている、請求項３０〜３５のいずれか一項に記載の閉鎖組立体。
【請求項３７】
ロックピンが前記構造体に固定されて設けられ、前記パネルがその閉鎖状態にあるとき及び閉鎖状態に近いとき外方へ移動しないようそれを捕捉するために、前記ロックピンが、前記遠位パネルの遠位領域に係合するように前記遠位パネルの外側に向いた表面に対して位置決めされる、請求項１〜３６のいずれか一項に記載の閉鎖組立体。
【請求項３８】
ロックピンが前記枠に固定されて設けられ、前記パネルがその閉鎖状態にあるとき及び閉鎖状態に近いとき、前記遠位領域を前記枠の押付け部分に対して捕捉することにより前記遠位領域が外方へ移動するのを防ぐために、前記ロックピンが、前記遠位パネルの遠位領域に係合するように前記遠位パネルの外側に向いた表面に対して位置決めされる、請求項２５〜３７のいずれか一項に記載の閉鎖組立体。
【請求項３９】
前記遠位パネルがその頂部又は底部で前記支持ランナーによって支持され、また前記頂部又は底部の他方において前記遠位パネルの遠位領域が外側に向いた表面を含み、またロックピンが前記枠構造体に固定されて設けられ、前記パネルがその閉鎖状態にあるとき及び閉鎖状態に近いとき前記遠位領域を前記枠の押付け部分に対して捕捉することにより前記遠位領域の外方への移動を防ぐために、前記ロックピンは、前記遠位パネルの外側に向いた表面に係合するように位置決めされる、請求項２５〜３７のいずれか一項に記載の閉鎖組立体。
【請求項４０】
前記外側に向いた表面が前記遠位パネルの外側表面に隠されている、請求項３８又は３９に記載の閉鎖組立体。
【請求項４１】
第一の相互求引性手段が、開放状態のとき遠位パネルに面する近位パネルの側面上の、前記近位パネルの近位周縁配設領域に提供され、また遠位パネルには、近位パネルに開放状態のときに面する遠位パネルの側面上の、前記第一の相互求引性手段の場所に対応する場所に第二の相互求引性手段が設けられて、前記パネルが開放状態のとき前記相互求引性手段の相互作用が、前記近位パネルの近位周縁配設領域に前記遠位パネルの前記遠位領域が係合されて留まる状態を助長する、請求項１〜４０のいずれか一項に記載の閉鎖組立体。
【請求項４２】
前記第一及び第二の相互求引性手段が磁気的求引性手段である、請求項４１に記載の閉鎖組立体。
【請求項４３】
前記第一及び第二の相互求引性手段が両方とも磁石である、請求項４１または４２に記載の閉鎖組立体。
【請求項４４】
前記第一及び第二の相互求引性手段が前記パネルの底部の近くに位置決めされる、請求項４１〜４３のいずれか一項に記載の閉鎖組立体。
【請求項４５】
少なくとも近位パネル及び遠位パネルを具備する二つ折りの戸及び／又は窓構造体であって、
（ａ）遠位パネルが、下部遠位領域に又は下部遠位領域の近くに、戸及び／又は窓パネルによって閉じられるべき開口部の平面内で走行される下軌道ランナーの又は下軌道ランナーからの延長部に回動軸を設けられ、及び
（ｂ）遠位パネルが、上部遠位領域に又は上部遠位領域の近くに、構造体の支持軌道によって走行する回動軸を設けられ、また前記支持軌道が、（真直ぐな、又は湾曲した、又は屈曲した、又は別の形であろうとなかろうと）少なくとも部分的に斜めにされる、二つ折りの戸及び／又は窓構造体において、
パネルが開放するとき遠位パネルのそのように形成された共通の遠位回動軸を、開口部の平面から移動させる効力を前記（ａ）及び（ｂ）は共に有し、そのことにより近位パネルが建物構造体に隣接しかつ遠位パネルが近位パネルに隣接した状態で、二つ折りの戸又は窓構造体が開口部から遠ざかってアコーディオン式に折りたたまれることが可能にされる、二つ折りの戸及び／又は窓構造体。
【請求項４６】
二つ折りの又は多重折りたたみの戸及び／又はパネル構造体の遠位パネルの下部遠位領域を軌道から支持するためのガイドランナーであって、前記ガイドランナーは、
前記遠位パネルの前記遠位領域に回動可能に取り付くようにされたアタッチメントと、
前記軌道を走行するようにされたランナーと、
回動可能なアタッチメントとランナーとの間のリンクとを有し、
該リンクは二本のほぼ平行な回動軸を含み、それにより該リンクは、走行軌跡の平面内に整列若しくはほぼ整列された状態からその配置を変化させることができ、又はその状態から外方へ伸張できて、戸及び／又は窓パネルに最も近い回動軸を走行軌跡のそのような平面から事実上離間させる、ガイドランナー。
【請求項４７】
そのようなガイドランナーが、図１Ｂ、２、３、５、６Ａ、６Ｂ、６Ｃ、１１、及び１２の任意の一つ以上を参照しながら明細書で実質的に説明されたものである、請求項４６に記載のガイドランナー。
【請求項４８】
構造体の開口部を縁どり且つそのような構造体のために軌道を提供するための押出材が、サブ組立体又は組立体において、請求項１〜４４のいずれか一項に記載の閉鎖組立体の組立体又は構造体の一部を形成するようにされる、押出材。
【請求項４９】
建物構造体における、二つ折りの又は同様のパネル組立体のための開口部における一対の軌道であって、下軌道が開口部の平面内にあって、上軌道が開口部の平面から外側に斜めにされている、一対の軌道。
【請求項５０】
少なくとも近位パネルと遠位パネルとを具備する二つ折りの戸及び／又は窓構造体であって、
（ａ）遠位パネルが、下部もしくは上部遠位領域に又は下部もしくは上部遠位領域に近接して、戸及び／又は窓パネルによって閉じられるべき開口部の平面内を走行するガイド軌道ランナーの又は該ガイド軌道ランナーからの延長部に回動軸を設けられ、及び、
（ｂ）遠位パネルが、前記上部もしくは下部遠位領域の他方に又は前記上部もしくは下部遠位領域の他方に近接して、戸又は窓構造体の支持軌道によって走行する回動軸を提供する手段を設けられ、また前記支持軌道が、（真直ぐの、湾曲した、屈曲した、又は別の形であろうとなかろうと）少なくとも部分的に斜めにされる、二つ折りの戸及び／又は窓構造体において、
パネルが開放するとき遠位パネルのそのように形成された共通の遠位回動軸を開口部の平面から移動させる効力を前記（ａ）及び（ｂ）が共に有し、そのことにより近位パネルが建物構造体に隣接しかつ遠位パネルが近位パネルに隣接した状態で、二つ折りの戸又は窓構造体が開口部から遠ざかってアコーディオン式に折りたたまれることが可能にされる、二つ折りの戸及び／又は窓構造体。
【請求項５１】
二つ折りの又は多重折りたたみの戸及び／又はパネル構造体の遠位パネルの下部遠位領域または上部遠位領域を軌道から支持するためのガイドランナーであって、前記ガイドランナーは、
前記遠位パネルの前記遠位領域に回動可能に取り付くようにされたアタッチメントと、
前記軌道を走行するようにされたランナーと、
回動可能なアタッチメントとランナーとの間のリンクとを有し、
該リンクは少なくとも二本のほぼ平行な回動軸を含み、それにより該リンクは、前記二つ折りの戸が閉じられているとき走行軌跡の平面内に又は該平面に鋭角に整列若しくはほぼ整列された状態からその配置を変化させることができ、又はその状態から外方へ伸張できて、戸及び／又は窓パネルに最も近い回動軸を走行軌跡のそのような平面から事実上離間させる、ガイドランナー。
【請求項５２】
そのようなガイドランナーが、図１Ｂ、２、３、５、６Ａ、６Ｂ、６Ｃ、１１、及び１２の任意の一つ以上を参照しながら明細書で実質的に説明されたものである、請求項５１に記載のガイドランナー。
【請求項５３】
構造体の開口部を縁どり且つそのような構造体のために軌道を提供するための押出材が、サブ組立体又は組立体において、請求項１〜４４のいずれか一項に記載の閉鎖組立体の一部を形成するようにされる、押出材。
【請求項５４】
建物構造体における、二つ折りの又は同様のパネル組立体のための開口部における一対の軌道であって、前記軌道の第一のものが、下又は上軌道として位置決めされて開口部の平面内にあり、また前記軌道の第二のものが、前記軌道の第一のものと対向して、開口部の平面から外側に斜めにされている、一対の軌道。
【請求項５５】
建物構造体における、二つ折りの又は同様のパネル組立体のための開口部における一対の軌道であって、上軌道が開口部の平面内あり、また下軌道が開口部の平面から外側に斜めにされている、一対の軌道。
【請求項５６】
そのような前記軌道が、請求項１〜４４のいずれか一項に記載の閉鎖組立体で使用可能な種類のものである、請求項５５に記載の一対の軌道。
【請求項５７】
建物の開口部に対する閉鎖組立体を含む建物であって、前記閉鎖組立体は、少なくともほぼ鉛直の相互回動軸を使って、閉鎖状態と開放状態との間を移動可能であるように、取り付けられた少なくとも二つの相互に回動する（ガラス板の嵌め込まれた又はそうではない）パネルを含み：
（ｉ）前記閉鎖状態では、相互に少なくともほぼ整列している前記少なくとも二つのパネルが、開口部の平面内で又は開口部の平面にほぼ平行に前記開口部の少なくとも部分的な閉鎖体を提供し、及び、
（ｉｉ）前記開放状態では、前記少なくとも二つのパネルが、互いの方に相互に回動することによって相互に整列を崩されて、開口部の平面を実質的に空け、またその際少なくとも二つのパネルの各々の一方又は全てが開口部の平面に対して鋭角に又は平行に横たわる、閉鎖組立体を含む建物において、
前記パネルの一方（“近位パネル”）が、前記開口部の鉛直周縁（“近位周縁”）で及び／又は前記鉛直周縁の近くで、開口部の平面内に実質的に在る少なくともほぼ鉛直な回動軸によって回動され、
他方のパネル（“遠位パネル”）の遠位領域が、少なくとも一つの支持ランナーによって支持され、
支持ランナーが支持軌道に沿って走行し、前記支持軌道が、前記開口部の平面に対して少なくとも部分的に斜めにされ、又は角度を付けられるか若しくはある角度に方向転換するか、又は曲げられるか若しくは湾曲され（以後“斜めにされ”）、また支持ランナーを前記近位周縁で又は前記近位周縁の近くで前記開口部の平面から離間させる効力を有する、閉鎖組立体を含む建物。
【発明の詳細な説明】
【技術分野】
【０００１】
本発明は多重折りたたみ窓及び／又は戸組立体に関するものである。
【０００２】
特に本発明は、代替の装置に比較してより開放的な開放構造形をそれ自身に与えるようにされた多重折りたたみ装置に導かれる。
【背景技術】
【０００３】
我々のニュージーランド特許第３３６６９６号明細書に開示された典型的な二つ折りの組立体は、窓又は戸の開口部の縁に折りたたまれるか又は開放されることが可能である。そのような場合、折りたたみ窓又は戸パネルは、それが可視的であるか又はそうではないある種の障害物を作り出す。そのような先行技術の装置は、それらが、軌道装置内に構築されたヒンジによって拘束されるので、壁の開口部全体を完全に利用できるようにしない。多重折りたたみパネル組立体が、開放状態のとき、パネルの開口部を空にする眺望を有することは有利な点である。我々のニュージーランド特許第５０５９５８号明細書は、遠位回動軸を開口部の平面内の一つ以上の軌道から解放することによってこの結果を獲得することを探求した。我々のニュージーランド特許第５０５９５８号明細書の手順は、目的に対して効果があるが、建造物構造に対する開口部から離れた開放折りたたみ状態において、パネルのペアの荷重は残ったただ一つの回動軸によって保持されるので。頑丈なマウントを必要とする。
【発明の開示】
【発明が解決しようとする課題】
【０００４】
本発明の目的は、多重折りたたみ窓及び／又は戸組立体の使用が意図される壁の開口によって提供されるスペースをより完全に利用することである。
【課題を解決するための手段】
【０００５】
それ故本発明は、少なくとも二つ折りのパネル（ガラス板がはめ込まれているか又はそうではない）構造体についての、及び戸もしくは窓の目的又は両方の混成物についての、及び頂部又は底部が取付けられた（支持された）装置に導かれ、前記装置は、単独又は鏡像配置で、既存の多重折りたたみパネルシステムに対する代替物を提供する。本明細書において用いられる用語“開口部の平面”は、好適には真直ぐな平面を含むが、湾曲されているか又は他の形状の開口部を含んでよく、その結果“開口部の平面”は、開口部の形状で実質的にたどることができる任意の開口部の形を含むものとして解釈されるべきである。
【０００６】
本明細書において、パネルの“整列が相互に崩され”が参照される場合には、それはパネルの配置が同一平面にない状態を意味する。そのような整列が相互に崩された状態は、少なくとも二枚のパネルが実質的に重なって置かれる位置にあるところの、アコーディオン状の形態にあることが好適である。
【０００７】
本発明は、パネルが、開放時構造体の開口部から取り除かれること、または少なくとも人々に有用な選択を提供することを可能にする限りは、我々のニュージーランド特許第５０５９５８号明細書の成果に類似の成果を獲得することができる組立体、方法、及び手順に導かれる。
【０００８】
本発明は一つの様態において建物若しくは同様の構造物の又は建物若しくは同様の構造物における開口部の閉鎖組立体に在り、前記閉鎖組立体は、少なくともほぼ鉛直の相互回動軸を使って、閉鎖状態と開放状態との間を移動可能であるように、取り付けられた少なくとも二つの相互に回動する（ガラス板の嵌め込まれた又はそうではない）パネルを含み：
（ｉ）前記閉鎖状態では、相互に少なくともほぼ整列している前記少なくとも二つのパネルが、開口部の平面内で又は開口部の平面にほぼ平行に前記開口部の少なくとも部分的な閉鎖体を提供し、及び、
（ｉｉ）前記開放状態では、前記少なくとも二つのパネルが、互いの方に相互に回動することによって相互に整列を崩されて、開口部の平面を実質的に空け、またその際少なくとも二つのパネルの各々の一方又は全てが開口部の平面に対して鋭角に又は平行に横たわり、
前記パネルの一方（“近位パネル”）が、前記開口部の鉛直周縁（“近位周縁”）で及び／又は前記鉛直周縁の近くで、開口部の平面内に実質的に在る少なくともほぼ鉛直な回動軸によって回動され、
他方のパネル（“遠位パネル”）の遠位領域が、少なくとも一つの支持ランナーによって支持され、
支持ランナーが支持軌道に沿って走行し、前記支持軌道が、前記開口部の平面に対して少なくとも部分的に斜めにされ、又は角度を付けられるか若しくはある角度に方向転換するか、又は曲げられるか若しくは湾曲され（以後“斜めにされ”）、また支持ランナーを前記近位周縁で又は前記近位周縁の近くで前記開口部の平面から離間させる効力を有する、閉鎖組立体である。
【０００９】
好適には、近位パネルは、前記開口部に対して固定されたほぼ鉛直の回動軸によって回動される。
【００１０】
好適には、前記近位パネルは、開口部の平面に対して及び開口部の平面内で水平に移動可能なほぼ鉛直な回動軸によって回動される。
【００１１】
好適には、前記支持ランナーは、支持軌道に係合された車輪付きボギー車を含む。
【００１２】
好適には、前記車輪付きボギー車が鉛直軸線を中心にして前記遠位パネルに対して回動することを可能にするために、前記支持ランナーが鉛直回動軸を含む。
【００１３】
好適には、前記車輪付きボギー車の前記回動軸の前記鉛直軸線が、前記遠位パネルの板厚の中央に配置される。
【００１４】
好適には、支持軌道は、ほぼ直線的な形であり、また開口部の平面に対して鋭角をなす。
【００１５】
好適には、支持軌道は、少なくとも一部が直線的な形であり、また前記一部が開口部の平面に対して鋭角をなす。
【００１６】
好適には、支持軌道は、直線的な形であり、及び近位周縁に直近の支持軌道の部分を除いて開口部の平面に対して（好適には開口部の平面内で）平行であり、前記部分において支持ランナーを開口部の平面から外に進ませるために、前記軌道が前記開口部の平面に対して角度が付けられている。
【００１７】
好適には、支持軌道は湾曲している。
【００１８】
好適には、遠位パネルの遠位領域は、遠位パネルの頂部又は底部の一方（である“鉛直支持場所”）に取り付けられた一つの支持ランナーによって支持される。
【００１９】
好適には、前記鉛直支持場所に対する、前記頂部又は底部の他方が、開口部の平面内の又は該平面に平行なガイド軌道を通るガイドランナーと結合され、そのようなガイドランナーは、それにもかかわらずガイドランナーと遠位パネルとの伸展性結合によって、支持軌道を通って案内される支持ランナーによって開口部に対して案内されて回動されるように遠位パネルの遠位領域が移動することを可能にする軌跡を形成された支持軌道に追随して遠位パネルのための移動を可能にする。
【００２０】
好適には、前記鉛直支持場所に対する、頂部又は底部の他方が、開口部の平面内の又は開口部の平面に平行なガイド軌道を通るガイドランナーと結合され、そのようなガイドランナーは遠位パネルに回動可能に取り付けられた伸展性アームを含み、前記伸展性アームは、遠位パネルの遠位領域が前記支持軌道によって拘束されて移動することを可能にすることが要求される軌跡を形成された支持軌道に追随することを可能にする。
【００２１】
好適には、ガイドランナーが、回動様態で伸展する関節手段を、（遠位領域において又は遠位領域の近くで）遠位パネルの間に含み、前記関節手段が、ガイド軌道に配置されて案内されるランナーボギー車を介して前記ガイド軌道にさらに回動可能に結び付けられて、そのことにより前記伸展性結合を提供する。
【００２２】
好適には、前記関節手段は剛性アームである。
【００２３】
好適には、前記パネルが前記開放状態のとき、前記剛性アームは、前記開口部の前記平面に垂直に延びる。
【００２４】
好適には、支持ランナーは遠位パネルの頂部に設けられる。
【００２５】
好適には、ガイドランナーは遠位パネルの底部に配置される。
【００２６】
好適には、ガイドランナーが遠位パネルの頂部に設けられて、支持ランナーが遠位パネルの底部に配置される。
【００２７】
好適には、遠位パネルの遠位領域は、頂部及び底部に配置された支持ランナーによって支持され、各支持ランナーが、開口部の頂部および底部に配設されたそれぞれの前記支持軌道内を走行する。
【００２８】
好適には、近位パネルが、近位周縁における固定された鉛直回動軸によって回動される。
【００２９】
好適には、前記パネルが、開放位置において、開口部の平面にほぼ平行に横たわる。
【００３０】
好適には、閉鎖組立体は、全体に枠を付けられる。
【００３１】
好適には、前記閉鎖組立体の周縁が、前記建物若しくは同様の構造物の、又は前記建物若しくは同様の構造物における前記開口部に受容されるのに釣り合ったサイズの枠構造体によって形成される。
【００３２】
好適には、前記閉鎖組立体の周縁が、前記建物若しくは同様の構造物の、又は前記建物若しくは同様の構造物における前記開口部に受容されるのに釣り合ったサイズの枠構造体によって形成され、前記枠が、頂部枠押出材と、前記頂部枠押出材に平行な底部枠押出材であって使用時に水平に延在する底部押出材と、前記頂部及び底部枠押出材に取り付けられかつ前記頂部及び底部枠押出材の間に延在する二つの側方枠押出材であって、互いに平行な、使用時に垂直に延在する二つの側方枠押出材とを含む。
【００３３】
好適には、前記枠は、少なくとも部分的に押出材の組立体である。
【００３４】
好適には、前記支持ランナーは、前記遠位パネルの頂部又は上部に取り付けられた頂部ランナーであり、また前記建物の又は前記建物における前記開口部が、上部枠組み材を含み、前記支持軌道が上部組立体に組み込まれ、前記上部組立体が、
ａ）縦方向に延在する基礎部材であって、その縦方向を前記開口部の平面に平行にして前記開口部の上部枠組み材に固定される、縦方向に延在する基礎部材と、
ｂ）支持軌道を保持するサブ組立体であって、さらに、
（ｉ）前記開口部の底への又は前記開口部の底からの直線的様態、及び、
（ｉｉ）前記開口部の平面に対して平行な水平軸線を中心にした前記軌道の傾きを可能にする様態、の一つ以上から選択された様態で前記支持軌道を変位させることを可能にする様態で前記基礎部材に固定されたサブ組立体と、を含むものである。
【００３５】
好適には、前記支持ランナーは、前記遠位パネルの頂部又は上部に取り付けられた頂部ランナーであり、また前記頂部枠部材が上部組立体であり、前記上部組立体が、
ａ）縦方向に延在する基礎部材であって、その縦方向を前記開口部の平面に平行にした様態で建物に固定される縦方向に延在する基礎部材と、
ｂ）支持軌道を保持するサブ組立体であって、さらに、
（ｉ）基礎部材への又は前記基礎部材からの直線的様態、及び、
（ｉｉ）前記開口部の平面に対して平行な水平軸線を中心にした前記軌道の傾きを可能にする様態、の一つ以上から選択された様態で前記支持軌道を変位させることを可能にする様態で前記基礎部材に固定されたサブ組立体と、を含むものである。
【００３６】
好適には、前記基礎部材は前記側方枠部材に固定される。
【００３７】
好適には、前記サブ組立体は、二列に並んだ、鉛直に延在する調節ねじによって前記基礎部材に係合され、第一の列と第二の列が互いに対して及び開口部の平面に対して平行であり、また一方の列の他方の列に対するねじの差動調節が前記傾きを含み、第一の列と第二の列のねじの一致する調節が直線的変位を含む。
【００３８】
好適には、前記サブ組立体がペルメットを含み、前記ペルメットに前記軌道が、固定され、また支持ランナーとの係合のために露出された様態でペルメットから配設される。
【００３９】
好適には、前記ペルメットは、その下から前記支持軌道を与えて、支持ランナーの開きが開放状態を引き受けることを可能にするのに十分なほどに開口部の平面から外側に延びる。
【００４０】
好適には、前記ペルメットは、細長いほぼ一定断面の押出部材である。
【００４１】
好適には、前記ペルメットは、前記支持軌道の両側に飾りパネルを含み、前記飾りパネルが前記支持軌道と前記ペルメットの縦方向の縁との間の隙間を塞ぐ。
【００４２】
好適には、前記第一の列の固定ねじは、前記開口部の前記平面の第一の側に平行に及び前記第一の側に設けられ、また第二の列は、前記開口部の前記平面の他方の側に平行に及び前記他方の側に設けられる。
【００４３】
好適には、各列の前記ねじは均等に離間されている。
【００４４】
好適には、ロックピンは前記構造体に固定されて設けられ、前記パネルがその閉鎖状態にあるとき及び閉鎖状態に近いとき外方へ移動しないようそれを捕捉するために、前記ロックピンは、前記遠位パネルの遠位領域に係合するように前記遠位パネルの外側に向いた表面に対して位置決めされる。
【００４５】
好適には、ロックピンは前記枠に固定されて設けられ、前記パネルがその閉鎖状態にあるとき及び閉鎖状態に近いとき、前記遠位領域を前記枠の押付け部分に対して捕捉することにより前記遠位領域が外方へ移動するのを防ぐために、前記ロックピンは、前記遠位パネルの遠位領域に係合するように前記遠位パネルの外側に向いた表面に対して位置決めされる。
【００４６】
好適には、前記遠位パネルはその頂部又は底部で前記支持ランナーによって支持され、また前記頂部又は底部の他方において前記遠位パネルの遠位領域が外側に向いた表面を含み、またロックピンが前記枠構造体に固定されて設けられ、前記パネルがその閉鎖状態にあるとき及び閉鎖状態に近いとき前記遠位領域を前記枠の押付け部分に対して捕捉することにより前記遠位領域の外方への移動を防ぐために、前記ロックピンは、前記遠位パネルの外側に向いた表面に係合するように位置決めされる。
【００４７】
好適には、前記外側に向いた表面は前記遠位パネルの外側表面に隠されている。
【００４８】
好適には、第一の相互求引性手段は、開放状態のとき遠位パネルに面する近位パネルの側面上の、前記近位パネルの近位周縁配設領域に提供され、また遠位パネルには、近位パネルに開放状態のときに面する遠位パネルの側面上の、前記第一の相互求引性手段の場所に対応する場所に第二の相互求引性手段が設けられて、前記パネルが開放状態のとき前記相互求引性手段の相互作用が、前記近位パネルの近位周縁配設領域に前記遠位パネルの前記遠位領域が係合されて留まる状態を助長する。
【００４９】
好適には、前記第一及び第二の相互求引性手段は磁気的求引性手段である。
【００５０】
好適には、前記第一及び第二の相互求引性手段は両方とも磁石である。
【００５１】
好適には、前記第一及び第二の相互求引性手段は前記パネルの底部の近くに位置決めされる。
【００５２】
本発明は第二の様態において、少なくとも近位パネル及び遠位パネルを具備する二つ折りの戸及び／又は窓構造体に存在し、
（ａ）遠位パネルが、下部遠位領域に又は下部遠位領域の近くに、戸及び／又は窓パネルによって閉じられるべき開口部の平面内で走行される下軌道ランナーの又は下軌道ランナーからの延長部に回動軸を設けられ、及び
（ｂ）遠位パネルが、上部遠位領域に又は上部遠位領域の近くに、構造体の支持軌道によって走行する回動軸を設けられ、また前記支持軌道が、（真直ぐな、又は湾曲した、又は屈曲した、又は別の形であろうとなかろうと）少なくとも部分的に斜めにされる、二つ折りの戸及び／又は窓構造体において、
パネルが開放するとき遠位パネルのそのように形成された共通の遠位回動軸を、開口部の平面から移動させる効力を前記（ａ）及び（ｂ）は共に有し、そのことにより近位パネルが建物構造体に隣接しかつ遠位パネルが近位パネルに隣接した状態で、二つ折りの戸又は窓構造体が開口部から遠ざかってアコーディオン式に折りたたまれることが可能にされる。
【００５３】
更なる態様において、本発明は、二つ折りの又は多重折りたたみの戸及び／又はパネル構造体の遠位パネルの下部遠位領域を軌道から支持するためのガイドランナーに存在し、前記ガイドランナーは、
前記遠位パネルの前記遠位領域に回動可能に取り付くようにされたアタッチメントと、
前記軌道を走行するようにされたランナーと、
回動可能なアタッチメントとランナーとの間のリンクとを有し、
該リンクは二本のほぼ平行な回動軸を含み、それにより該リンクは、走行軌跡の平面内に整列若しくはほぼ整列された状態からその配置を変化させることができ、又はその状態から外方へ伸張できて、戸及び／又は窓パネルに最も近い回動軸を走行軌跡のそのような平面から事実上離間させる。
【００５４】
好適には、そのようなガイドランナーは、図１Ｂ、２、３、５、６Ａ、６Ｂ、６Ｃ、１１、及び１２の任意の一つ以上を参照しながら明細書で実質的に説明されたものである。
【００５５】
好適には、構造体の開口部を縁どり且つそのような構造体のために軌道を提供するための押出材が、サブ組立体又は組立体において、前述の閉鎖組立体の組立体又は構造体の一部を形成するようにされる。
【００５６】
更なる態様において、本発明は、建物構造体における、二つ折りの又は同様のパネル組立体のための開口部における一対の軌道であって、下軌道が開口部の平面内にあって、上軌道が開口部の平面から外側に斜めにされている一対の軌道に存在する。
【００５７】
更なる態様において、本発明は、少なくとも近位パネルと遠位パネルとを具備する二つ折りの戸及び／又は窓構造体に存在し、
（ａ）遠位パネルが、下部もしくは上部遠位領域に又は下部もしくは上部遠位領域に近接して、戸及び／又は窓パネルによって閉じられるべき開口部の平面内を走行するガイド軌道ランナーの又は該ガイド軌道ランナーからの延長部に回動軸を設けられ、及び、
（ｂ）遠位パネルが、前記上部もしくは下部遠位領域の他方に又は前記上部もしくは下部遠位領域の他方に近接して、戸又は窓構造体の支持軌道によって走行する回動軸を提供する手段を設けられ、また前記支持軌道が、（真直ぐの、湾曲した、屈曲した、又は別の形であろうとなかろうと）少なくとも部分的に斜めにされる、二つ折りの戸及び／又は窓構造体において、
パネルが開放するとき遠位パネルのそのように形成された共通の遠位回動軸を開口部の平面から移動させる効力を前記（ａ）及び（ｂ）が共に有し、そのことにより近位パネルが建物構造体に隣接しかつ遠位パネルが近位パネルに隣接した状態で、二つ折りの戸又は窓構造体が開口部から遠ざかってアコーディオン式に折りたたまれることが可能にされる。
【００５８】
更なる態様において、本発明は、二つ折りの又は多重折りたたみの戸及び／又はパネル構造体の遠位パネルの下部遠位領域または上部遠位領域を軌道から支持するためのガイドランナーに存在し、前記ガイドランナーは、
前記遠位パネルの前記遠位領域に回動可能に取り付くようにされたアタッチメントと、
前記軌道を走行するようにされたランナーと、
回動可能なアタッチメントとランナーとの間のリンクとを有し、
該リンクは少なくとも二本のほぼ平行な回動軸を含み、それにより該リンクは、前記二つ折りの戸が閉じられているとき走行軌跡の平面内に又は該平面に鋭角に整列若しくはほぼ整列された状態からその配置を変化させることができ、又はその状態から外方へ伸張できて、戸及び／又は窓パネルに最も近い回動軸を走行軌跡のそのような平面から事実上離間させる。
【００５９】
好適には、そのようなガイドランナーは、図１Ｂ、２、３、５、６Ａ、６Ｂ、６Ｃ、１１、及び１２の任意の一つ以上を参照しながら明細書で実質的に説明される。
【００６０】
好適には、構造体の開口部を縁どり且つそのような構造体のために軌道を提供するための押出材が、サブ組立体又は組立体において、前述の閉鎖組立体の一部を形成するようにされる。
【００６１】
更なる態様において、本発明は、建物構造体における、二つ折りの又は同様のパネル組立体のための開口部における一対の軌道に存在し、前記軌道の第一のものが、下又は上軌道として位置決めされて開口部の平面内にあり、また前記軌道の第二のものが、前記軌道の第一のものと対向して、開口部の平面から外側に斜めにされている。
【００６２】
更なる態様において、本発明は、建物構造体における、二つ折りの若しくは同様のパネル組立体における開口部のための一対の軌道であって、上軌道が開口部の平面内あり、また下軌道が開口部の平面から外側に斜めにされている、一対の軌道に存在する。
【００６３】
好適には、そのような前記軌道は、前述の閉鎖組立体で使用可能な種類のものである。
【００６４】
更なる態様において、本発明は、建物の開口部に対する閉鎖組立体を含む建物に存在し、前記閉鎖組立体は、少なくともほぼ鉛直の相互回動軸を使って、閉鎖状態と開放状態との間を移動可能であるように、取り付けられた少なくとも二つの相互に回動する（ガラス板の嵌め込まれた又はそうではない）パネルを含み：
（ｉ）前記閉鎖状態では、相互に少なくともほぼ整列している前記少なくとも二つのパネルが、開口部の平面内で又は開口部の平面にほぼ平行に前記開口部の少なくとも部分的な閉鎖体を提供し、及び、
（ｉｉ）前記開放状態では、前記少なくとも二つのパネルが、互いの方に相互に回動することによって相互に整列を崩されて、開口部の平面を実質的に空け、またその際少なくとも二つのパネルの各々の一方又は全てが開口部の平面に対して鋭角に又は平行に横たわる、閉鎖組立体を含む建物において、
前記パネルの一方（“近位パネル”）が、前記開口部の鉛直周縁（“近位周縁”）で及び／又は前記鉛直周縁の近くで、開口部の平面内に実質的に在る少なくともほぼ鉛直な回動軸によって回動され、
他方のパネル（“遠位パネル”）の遠位領域が、少なくとも一つの支持ランナーによって支持され、
支持ランナーが支持軌道に沿って走行し、前記支持軌道が、前記開口部の平面に対して少なくとも部分的に斜めにされ、又は角度を付けられるか若しくはある角度に方向転換するか、又は曲げられるか若しくは湾曲され（以後“斜めにされ”）、また支持ランナーを前記近位周縁で又は前記近位周縁の近くで前記開口部の平面から離間させる効力を有する。
【００６５】
更なる態様において、本発明は、構造物における開口部に枠を付けるための、及びそのような構造物に軌道を提供するための押出材に存在し、該押出材はサブ組立体又は組立体において本発明の組立体又はサブ組立体の一部を形成する。
【００６６】
更なる態様において、本発明は、建物構造体における、二つ折りの又は同様のパネル組立体のための開口部における一対の軌道に存在し、前記軌道の第一のものが、下又は上軌道として位置決めされて開口部の平面内にあり、また前記軌道の第二のものが、前記軌道の第一のものと対向して、開口部の平面から外側に斜めにされている。
【００６７】
更なる態様において、本発明は建物構造体、及び開口部又は二つ折りの若しくは同様のパネル組立体における一対の軌道に存在し、上軌道は開口部の平面内あり、また下軌道は開口部の平面から外側に斜めにされている。
【００６８】
好適には、そのような前記軌道は、本明細書において規定されるか又は記載される種類の任意の組立体において使用可能である。
【００６９】
本発明の、構造の多くの変更、並びに幅広く異なる実施態様及び用途は、特許請求の範囲で規定された本発明の範囲から外れることなく、本発明が関係する技術分野に知識を有する者自身が連想するであろう。本明細書における開示及び記載は、純粋に例示的なものでありまたどんな意味でも限定することを意図しない。
【００７０】
本発明の好適な形態がここで添付図面を参照して説明される。
【発明を実施するための最良の形態】
【００７１】
出入り口を閉鎖するか又は部分的に閉鎖するために多重パネルから成る戸を使用するとき、検討がそのような組立体の相当の重量に加えられることを必要とする。戸を具備するパネルはしばしばガラス板をはめられ、従ってパネル枠と併せて相当な重量になる。この重量は、戸が開口部を覆うことから折りたたまれるときさらなる問題をもたらす。一つ以上のパネルを上から吊るすことにより、又は下から支えることにより保持することはこの問題を軽減できる。そのような保持は、戸をその開放及び閉鎖の際に案内することも可能である。しかしながら、スペースの大部分を利用できるようにするために、戸は、平らに折りたためること、及び建物からの最小限の突出であること、また好適には開放されたとき建物外囲に平行であることも必要である。
【００７２】
本発明は、例えば戸枠の頂部（又は底部）に改良されたガイド軌道を使用し、また底部（又は頂部）トラックガイドに連結された伸展性部材が、戸が十分に支持されて案内されることはもとより、開口部の邪魔にならないように折りたたまれることも可能にする。
【００７３】
図１Ａに示されるように、多重折りたたみパネル組立体４０は、第一パネル４１、第二パネル４２、及び任意選択的に第三パネル４３から構成される。第三パネル４３は、第一パネルから遠く離れた第二パネル４２の遠位端からヒンジ４４Ｂによって配置される。図１Ａの好適な配列は三パネル構造形と呼ばれる。パネル４１及び４２だけが設けられる二パネル構造形のような他の構造形も考えられる。例えばパネル４３の右側に対して開放して離れて同様の斜め軌道の右側へ開くパネル４１及び４２の鏡像のような他の構造形も想定できる（いわゆる三対二構造形）。例えば二対二構造形（左側に折りたたまれるパネル４１及び４２、並びに右側に折りたたまれる４１及び４２の鏡像）のような他の構造形、並びに三、二、及び一パネルの構造形のような他の構造形も可能である。第一パネル４１は、ヒンジ４６によって周囲枠４５に取り付けられ、またその次のパネルは第一パネルにヒンジ４４Ａによって及び第二パネルにヒンジ４４Ｂによって取り付けられる。開口部は、例えば左側からの一つの組立体と右側からの一つの組立体というような複数のセットの多重折りたたみパネル組立体が延在することも可能である。各々のヒンジは、多重折りたたみパネル組立体がアコーディオン状の様態で折りたたまれるように、戸のヒンジ取付け側面が互い違いになる。本発明の好適な実施例に描写されているように、各パネル（４１、４２、又は４３）の中央部分はガラス４９を嵌められているが、障壁を形成するために又は少なくとも部分的に開口部を閉じるために、不透明若しくは半透明の材料、又は不透明の材料のような、開口部を塞ぐための任意の手段が使用されてよい。
【００７４】
ヒンジ４６に掛かるパネルの重量に起因して、頂部ランナー５０が、四つのベアリング付きローラー５３を介して頂部斜めレール５１に係合されており、前記四つのベアリング付きローラー５３は、図２に示されるように頂部斜めレール５１の内側を移動する。頂部ランナー５０は、ボギー車類似構造のものである支持ランナーである。頂部ランナーは、頂部斜めレール５１とは独立して、ボギー車とパネルとの係合点からパネルに対して垂直の支持を提供する。斜めレール５１は、一定断面のものであることが好適である。ローラー５３及びその鉛直回動軸１９２は、パネルの厚さ“Ｘ”の中心を中心にして配置されることが好適である。
【００７５】
頂部レール５１（好適には押出材）は、開口部への全行程距離にわたって曲げられなくてもよく、むしろその長さの大部分に関して（それぞれ参照符号５５及び５４の）開放平面及び閉鎖平面に平行であってよく、そして戸の行程の最後の長さ位置で開放平面５５から閉鎖平面５４へ移動することが可能である。そのような軌道は、真直ぐであるか又は単純に曲げられていなくてもよいが、開放されたとき戸パネルの開放平面５５内への折りたたみを可能にするために、軌道の長さに沿うある点で湾曲する。例えば、軌道は、ヒンジ固定端６８の近くの行程のその端で“Ｓ”状に形成され得る。
【００７６】
垂直断面における組立体が、図２及び３に示されており、戸口の外側はページの左側である。図１Ｂでは、開口部の内側は上側部分であり、また開口部の外側は下側部分である。
【００７７】
枠が、移動多重折りたたみパネル組立体の回りに組み立てられ、前記枠は、側方枠部材７０及び７１を介して互いに結び付けられた下部押出材５９と上部組立体６６とから構成されている。枠の下部分は、下部押出材５９によって形成されており、前記下部押出材５９は、この実施例ではその中に結合された軌道５２を有している。しかしながら、別個の軌道が下部押出材５９に取り付けられてもよく、また下部押出材は戸パネルの軌道支持の目的に好適である一方で、その軌道は必須ではない。
【００７８】
従って本発明の閉鎖組立体は、全体に枠を付けられた物品であり、また建物の開口部への挿入ユニットとして取り扱うことが可能である。組立体全体は、少なくとも構造的構成要素の追加の必要性及び／又は構造物の開口部での係合の後に続く戸の取り付けに対する必要性無しに、開口部内に配置されることが可能である。
【００７９】
上部組立体６６は、基礎枠部材８０と、ねじファスナ８２によって基礎押出材に調節可能に取り付けられたペルメット（pelmet）押出材８１と、頂部斜めレール５１とから構成され、前記頂部斜めレール５１に頂部ランナー５０が係合される。ペルメット押出材８１は、頂部レール５１を好適には固定確保状態で好適に保持する。基礎枠部材８０は貫通ファスナ６７によって（仮想線で示される）枠組み材８３に取り付けられる。頂部斜めレール５１は、ある角度を有してペルメット枠８１内に配置され、また美観のためにペルメット押出材の空隙８６を閉鎖する概ね三角形の下端部材８４及び８５を有する。
【００８０】
本発明によって選択的に閉鎖されるような開口部は、（参照符号８３のような）枠材、又は開口部を形成する同様のものを通常は有している。開口部の枠組みは、多重折りたたみパネル組立体を固定するためのマウントを備える。好適な実施例では、（例えばねじ又は釘のような）貫通ファスナ６７が使用され、前記貫通ファスナ６７は多重折りたたみパネルの上部組立体６６と、垂直押出材７０及び７１と、下部押出材５９とから構成された周囲部材の一部を通過して、例えばこの場合枠材８３のような枠部材の中に入る。
【００８１】
垂直押出材７０及び７１は、多重折りたたみパネル組立体のヒンジ結合端６８及び自由端６９にある。四つの押出材（７０、７１、５９、及び８０）は、多重折りたたみパネル組立体が配置されまた移動されるところの周囲枠４５を提供するために、好適にはあらかじめ一体に組み立てられる。
【００８２】
額縁板７２（又は、例えば木材から作られた、抱き又はライナー）は、枠の周囲に取り付いて、枠を建物に固定する手段を一部分提供し、また美的訴求力のある内装も提供する。内装壁板内張りの縁を受容するために、そのような額縁板７２にしゃくり１９３が設けられる。
【００８３】
そのような多重折りたたみパネル組立体が、（図１の右側で示されるように）開放したとき、それらが閉鎖されたときに存在する平面（例えば開口部の平面）に平行な平面であるそれ自身の平面に各々が存在することが望ましい。さらに、この位置は、それらが閉鎖する枠の開口部の邪魔にならない位置であるべきである。そのようなアコーディオン状に折りたたまれた姿勢は戸口への入出の完全なアクセスを可能にし、引っかかる又はうっかり入るところの突出したパネル又は同様のものを有さず、美的に感じの良い外観を開放されたときに戸に与える。
【００８４】
（建物の外部に対して折りたたまれて存在するために）閉鎖位置から開放位置へ移動するとき、頂部ランナー５０が取り付くパネル、つまり図１の第二パネル４２は、戸が閉鎖されたとき存在する平面５４から、パネル４２が開放しているときに実質的に存在する平面５５へ軌道を進まなければならない。これを達成するために、頂部ランナー５０が中に係合される頂部斜めレール押出材５１は、閉鎖平面５４から開放平面５５への斜めの角度になければならない。そのような角度（図１の８７）は、開放されるべき開口の幅（つまりパネル４１及び４２の幅）及び使用されるパネルの厚さに応じて変化し、前記角度は頂部ランナーの平面５４から距離 ｘ で平面５５へ出る運動を規定する。パネルの部分の相当の重量は、パネルの全運動をとおして軌道５１によって支持されまた案内もされる。大部分の重量が引張り力として作用したときその運動の又は軌道５１の危険な点は、パネル４２が開口部平面５４に対して９０度のときである。
【００８５】
斜め軌道は真直ぐである必要はない。斜め軌道は、パネル４２のための頂部ランナー５０のボギー車が閉鎖平面５４から開放平面５５へ移動することを可能にするのに十分なほどに、多重折りたたみパネルの開口部の（即ち端６８の方の）縁の近くの領域又は前記縁の領域でだけ斜めであればよく、それ故支持軌道を斜めにすることは、二つのパネルの閉鎖状態の範囲の最大限の広がりに及ぶ必要はないが、開口部の一部だけにかけて部分的に斜めにすることが可能であり、これに関しては例えば図１７を参照のこと。
【００８６】
閉鎖位置のパネル４２の断面図が図２に示されている。閉鎖された戸の第二パネル４２は閉鎖平面５４内に延在する。頂部斜めレール５１の閉鎖断面配置及び開放断面配置が、図２及び３にそれぞれ示されている。
【００８７】
開放するとき、パネル４１及び４２は、ヒンジ点４４Ａで外側（図１Ｂの下方）に折れる。パネル４２は、閉鎖位置から開放位置へ頂部レール５１に沿って走行し、逆もまた同様である。閉鎖平面５４から開放平面５５へ移動する際に、パネル４２は、開放平面位置５５内に又は開放平面位置５５にほぼ平行に延在するようになり、またそれ故パネル４２はヒンジ４６を中心にして１８０度回転される。
【００８８】
美的目的のために、多重折りたたみパネルが開閉する枠全体の下部分を形成する下部押出材５９に斜め軌道をもたないことが好ましい（とはいえこれは代替形態として又は追加的に実施されることがある）。
【００８９】
しかしながら、別の種類の下軌道５２が、安全の理由から、及び回動軸４４Ｂの回りでパネルを案内するためにも提供されることが好適である。該軌道は、閉鎖位置において戸がそのヒンジを下方から（例えば外力又は風圧力によって）引き外されることをある程度防ぐ。それは、開放状態のとき、遠位パネル４２の遠位端を平面５５内で保持もする。開放手順をとおして、下軌道は、ガイド手段を提供し、また下ランナー８８と協働して戸の開口部に対して剛性を与える。
【００９０】
下ランナー８８は、戸多重折りたたみパネルが開放されると、その結果生じた折りたたまれた組立体を一体に保持して、少なくともパネル４２がその下縁を外方に振られることを防止する機能を有する。
【００９１】
パネルの底部を枠に接続するために斜め軌道を有することに対する代替として、及び（即ち開放平面又は閉鎖平面に平行な）直線軌道５２を下枠５９に利用するために、伸展性結合が、関節部材６１によって提供され、前記関節部材６１は、下ランナー６２の（ローラー８９との）回動性係合を可能にして、パネル４２が平面５４からその開放状態へ移動するときパネル４２と共に直線状に（開放平面及び閉鎖平面に平行に）移動するものである。図１０は、関節アーム６１に関して、閉鎖位置６２Ａ、中間位置６２Ｂ、及び完全開放位置６２Ｃを通る下ランナー６２の運動を示しており、前記関節アーム６１は、閉鎖平面５４にほぼ平行な位置６１Ａから約９０度の円弧によって（６１Ｂを通って）移動して、位置６１Ｃに横たわる。完全開放状態では、アームは平面５４に対して９０度で延びることが好適であり、その理由はランナー組立体８８が係合されるパネルに対する、例えば風圧荷重の結果としての任意の運動が、そのような平面に対して９０度の方向にあることが顕著であるためである。従って、アーム６１がそのような方向に平行に延びるなら、最大の剛性を提供してパネルの保持を確実にすることが可能である。図６のようなランナー組立体８８のより好適な形は、９０度の間を移動するアーム６１をもたなくてよい。これは従って下ランナー８８が開放平面及び閉鎖平面に平行な下方の直線に従って移動することを可能にする一方で、頂部ランナー５０に軸方向で整列された点が、斜めの経路を通って移動する間になお下ランナー８８に接続されていることを可能にする。
【００９２】
下ランナー８８は関節ヒンジ６３から成るものであり、前記関節ヒンジ６３は、それが取り付くパネルが、下軌道５２によって案内されるアーム６１に対して自由に回転することを可能にする。アーム６４が揺動アーム６１に回動可能に取り付けられ、前記アーム６４に、ボギー車類似組立体のローラー８９が設けられる。下軌道５２に従う行程に平行に整列された二つのローラーがあることが好適である。関節ヒンジ６３とアーム６４とその回動軸９０との間に揺動アーム６１が置かれる。
【００９３】
頂部ランナー５０は、軸受けキャリッジ７３に着座する四つのベアリング支持ローラー１１０から成り、軸受けキャリッジは、（図示された）三パネル戸についてはポイント７４で回動され、前記パネル戸は本体７５によってヒンジを付けられ、前記本体７５は遠位パネル（図１のパネル４２）の遠位端の内部に取り付けられている。軸受けキャリッジ７３は、二又は四パネルユニットに関しては代わりにポイント１１１で回動することができる。回動は、二及び四パネルユニットについては回動ポイント１１１で起こり、それ故その用具は、（ａ）二パネルについては、閉鎖されたときたて枠押出材７１に衝突せず、また（ｂ）四パネルのときは、互いに衝突しないでそれらは戸の中央で出会う。
【００９４】
少なくともパネル４１及び４２を共に（それらのそれぞれのヒンジ結合された縁から離れた縁で）保持する同様のそのような目的のための代替の方法が図８に示され、前記方法によると（例えば磁石であるがそれには限定されない）相互求引性手段が、パネル４１及び４２の内側表面９１及び９２に配置される。相互求引性手段９３及び９４は、少なくともパネル４１及び４２の開放状態における向き合う位置で、かつパネルの底部に又は底部の近くに配置される。好適には、そのような相互求引性手段はパネル４３及び４２の開放状態での向き合う表面にも備えられて、パネル４３が開放状態においてパネル４２に対して確実に保持されることを可能にするが、組立体を閉鎖状態に移動させることが要求されたとき、そこから便利になお解放可能である。そのような相互求引性手段は、頂部及び底部の近くに又は他の場所に、パネル４２に向き合うパネル４３の最も遠位の端に備えられる。しかしながら、機械的な固定手段もこの目的のために設けられることがある。
【００９５】
（図に示されるように）パネルが上から支持されるところの構造形における、本発明の多重折りたたみパネル組立体の据付の一環として、上部組立体６６の基礎枠部材８０は、貫通ファスナ６７によって木（又は他の材料）の周囲枠材８３に取り付けられる。これら貫通ファスナは基礎枠部材８０を周囲枠材に固く剛直に保持する。ペルメットのようなサブ枠８１が、ねじ式ファスナ係合ねじ８２によって基礎枠部材８０に固定される。これら係合ねじは、ペルメット８０の全長に沿って離間された規則的な間隔で、閉鎖平面５４の両側で好適に離間される。例えば図１において、これらのファスナ８２は、少なくともヒンジ点４４Ｂからヒンジ点４６までの間で線５４の両側に点在する。下端部材８４及び８５の開口９７は、工具がファスナ８２に係合してそれらをしかるべく回転させるために下端部材を通り抜けることを可能にする。代わりに下端部材は、アクセスが得られるように簡単に取り外し可能であってよい。ファスナのヘッドとペルメット８１との係合又は結果の組立体９８との係合は、ペルメット８１が水平方向において上と下の両方で、及び水平かつ平面５４に平行な軸線を中心に回転して調節されることを可能にして、結果のサブ組立体において、基礎枠部材８０に対するペルメット枠の回転的移動を実現する。そのような調節は、頂部斜めレール５１が頂部ランナー５０に対して調節されることを可能にして、上部組立体２６の垂れ下がりが引き上げられることを確実にし、その結果一つ又は複数の頂部ランナー５０がレールの中で動かなくならないで滑らかに走行可能にされる。そのような調整は、枠及び多重折りたたみ組立体の据付の後、ペルメットに重量が付加されてから行われる。明らかに、ペルメット８１が移動されるとき、ペルメット８１と一体（しかし好適には別個の押出材）の軌道５１は結果的に移動される。
【００９６】
多重折りたたみパネル組立体の閉鎖状態への移動の終わり近くで、パネル４２及び特にパネル４２の遠位鉛直縁の内側縁９９（頂部及び／又は底部における）が、シール１０１が備えられるところの底枠押出材の外側に向いている後方縁１００に接近させられて、ほとんどの状況で打ち当たる。このタイプの繰り返しの衝突は、パネルと枠押出材の両方並びにその近傍の（好適にはモヘアタイプシールの）シール１０１にも損傷を与えることがある。そのような衝突は、そのようなパネル４２の閉鎖行程の最終部分でだけ生じることが言及されるべきである。従って、衝突押出材１０２が設けられ、衝突押出材１０２は、縁９９が押出材１０２に打ち当たって、枠１００又はシール１０１の基部の近くには衝突しないようにシール１０１に接するように配置される。そのような衝突押出材は、この目的のために交換可能であり及び／又は少なくとも犠牲的である。そのような押出材のための材料は、プラスチック材料又は他のそのような交換可能な材料のものであるが、パネル４２のコーティングに損傷を与えないものである。
【００９７】
保持ピン１０３が、パネル４２が閉鎖状態で配置されるところの位置の下枠に配置されて、パネルが取囲まれた位置にあるとき、パネル（又は取り付けられた複数のパネル）が底枠から振れ出ることができないように、パネル４２の前縁の下方部分に係合する。そのような運動は、閉鎖位置において、風圧荷重を受けたとき、又はパネルの下縁に作用する力によって生じることがある。従って、パネルが閉鎖されてロックされたとき、それを、枠の頂部又は底部のいずれかで強制的に開放することはできない。保持ピン１０３は、下部押出材５９に固定された取付け板１０４及び１０５にそれぞれ取り付けられる。同様のピンが、閉鎖状態においてパネル４１を枠に対して捕捉するために使用されることもある。
【００９８】
パネルが、底部で案内されて支持されるか、又は底部と頂部の両方で支持される場合には、ペルメットの配置は、底部に（又は底部にも）設けられるように反転されることが可能である。しかしながら、片持ち梁支持が必ずしも形成されないので、調節は底部には必ずしも必要ではない。
【００９９】
下ランナー８８装置は、反転された状態で頂部に配置されることが可能である。
【図面の簡単な説明】
【０１００】
【図１Ａ】本発明の多重折りたたみパネル組立体の単純化された形態における外観図である。
【図１Ｂ】二つのパネルとそこにヒンジ結合された第三のパネルとからなる多重折りたたみ戸の開放及び閉鎖の両方の状態における平面断面図であって、本発明の斜め軌道を利用することによって開放状態と閉鎖状態との間を案内される多重折りたたみ戸の平面断面図である。
【図２】閉鎖位置の多重折りたたみパネルを示す、図１の切断線IIに沿って見た鉛直断面図であって、頂部組立体とその中の軌道との詳細、及び底部組立体とその軌道内の底部ボギー車とを示す鉛直断面図である。
【図３】図１の切断線III に沿って見た、多重折りたたみ戸が開放状態にあるときの、図２に類似の断面図である。
【図４】図２に示された、斜め軌道を有する頂部押出材の詳細図である。
【図５】図２に示された、底部組立体及びボギー車の拡大図である。
【図６Ａ】この場合は底部軌道用に構成されたボギー車の側面図である。
【図６Ｂ】同じボギー車の完全に伸張した形態における平面図であり、ボギー車は、図１における多重折りたたみパネルが完全に開放したときの姿勢を呈している。
【図６Ｃ】図６Ｂのボギー車と同じ平面図であるが、ボギー車は、戸が閉められたときの図１に示された完全閉鎖姿勢にある。
【図７Ａ】パネルキャッチ及び取付けナットの側面図である。
【図７Ｂ】図７Ａの平面図である。
【図８】図１の領域III において、図１に類似の多重折りたたみパネル組立体に沿って見た鉛直断面図であるが、図６で示されたボギー車の代替物として使用された磁気手段又は相互求引性手段を示す鉛直断面図である。
【図９】図５の場所で示された擦り条片の水平方向図である。
【図１０】頂部軌道の追加の範囲内及び底部追随組立体の配向の変化範囲内であるが、下部フォロワーボギー車組立体の異なる構成を有する、多重折りたたみパネル組立体の図１に類似の図である。
【図１１】閉鎖された戸と、底部ランナーの配向と、また頂部ランナーの配向と、斜め頂部ランナーにおけるその配向との拡大平面図である。
【図１２】図１１の図に類似の図であるが、第二パネル４２が閉鎖前のその最終運動をしており、また衝突条片１０２が、衝突条片の水平面を過ぎて部分的に突出しているモヘアシール１０１を保護しているのが見られ、保持ピン１０３の概略の位置も見ることができる。
【図１３】パネルの様々な構造形を示す平面図である。
【図１４】パネルの様々な構造形を示す平面図である。
【図１５】パネルの様々な構造形を示す平面図である。
【図１６】パネルの様々な構造形を示す平面図である。
【図１７】代替の頂部レールの形態を示す平面図である。
2005535808.tif 000003
2005535808.tif 000004
【図２】
2005535808.tif 000005
【図３】
2005535808.tif 000006
【図４】
2005535808.tif 000007
【図５】
2005535808.tif 000008
2005535808.tif 000009
2005535808.tif 000010
【図８】
2005535808.tif 000011
【図９】
2005535808.tif 000012
【図１０】
2005535808.tif 000013
【図１１】
2005535808.tif 000014
【図１２】
2005535808.tif 000015
【図１３】
2005535808.tif 000016
【図１４】
2005535808.tif 000017
【図１５】
2005535808.tif 000018
【図１６】
2005535808.tif 000019
【図１７】
2005535808.tif 000020
【国際調査報告】
2005535808.tif 000021
2005535808.tif 000022
2005535808.tif 000023
2005535808.tif 000024
2005535808.tif 000025